(57)【特許請求の範囲】
【請求項１】
ドラム又はその他の膜の音調品質を向上させるための合成共鳴駆動装置（ＣＲＤ）であって、
ａ）二つのヒンジと複数の磁石とを備える円形部材を備えるフレックスリングと、
ｂ）前記フレックスリングの磁石と相補的な又は引き寄せあう方向の複数の磁石を備える固定円形部材を備えるブームＣＲＤと、を備え、
ｃ）前記固定円形部材は、接着性リングと、外側リングと、発泡性リングと、中央リングとに取り付けられる第一の側面を有し、
ｄ）前記固定円形部材は、磁石を収容し、ネオプレンガスケットに取り付けられたリングが取り付けられる中央リングと、外側リングとに取り付けられる第二の側面を有する、合成共鳴駆動装置（ＣＲＤ）。
【請求項２】
マグナリングマウント（１２２０）の膜（１２２５）に取り付けられる上部リングマウント（１２１０）を更に備える、請求項１に記載のＣＲＤ。  
【請求項３】
上部リングマウント（１００７Ｂ）内に配置され、外側マグナリングマウント（１２２０）の磁石と相対する極性を有するよう配置される磁石（１０１０）を更に備える、請求項２に記載のＣＲＤ。
【請求項４】
前記フレックスリングのヒンジは、ドラムの膜の中心点を横切る軸線と合致する、請求項３に記載のＣＲＤ。
【請求項５】
前記フレックスリングと前記固定円形部材とが、ドラムの膜によって規定される円形の空隙を覆う、請求項４に記載のＣＲＤ。
【請求項６】
前記ＣＲＤをドラムヘッドの外表面に固定し及び懸架させる単一の弾性部材を有する、請求項１に記載のＣＲＤ。
【請求項７】
弦楽器に取り付けられる、請求項１に記載のＣＲＤ。
【請求項８】
請求項４に記載のＣＲＤと第二の同一のＣＲＤであって、前記第一及び第二のＣＲＤはドラムヘッドに取り付けられ、前記フレックスリングのすべてのヒンジは、ドラムの膜の中心点を横切る軸線と合致する、ＣＲＤ。
【発明の詳細な説明】
【技術分野】
【０００１】
本出願は、２０１３年７月１６日出願の米国特許出願公開第６１／８４６，７５１に基づいて優先権を主張する。この関連出願を参照によりここに引用し、本出願の一部とする。本出願の発明の開示内容と関連仮出願の内容とに不一致が生じた場合、本出願の開示内容に従うものとする。更に、本出願で引用又は言及された任意及び全ての特許、特許出願及びその他のハードコピーまたは電子書類について、発明者らによって参照によりここに引用する。
【０００２】
本発明は一般に、アコースティック楽器に関する。本発明は特に、バスドラムに重点を置いて、ドラム又はドラムシステムによって生成される音を拡張する手段及び方法に関する。
【背景技術】
【０００３】
その他のバスドラム拡張システムが関連技術において知られている。例えば、Ｍｉｌｌｅｎｄｅｒらによる、米国特許７，５８２，８２０、７，９２８，３０３及び７，９６８，７８０には、様々なドラムアタッチメントが開示されている。Ｌｅｎｔｏによる米国特許８，２９４，０１３には、側壁を備えた挿入具が開示されている。その意図された用途については有用であるものの、これら周知の関連技術は、単純で費用効果の高いシステムであるバスドラム拡張を提供できていない。従って、これら開示された実施態様に関して関連技術には十分な余地がある。
【発明の概要】
【発明が解決しようとする課題】
【０００４】
本発明は、関連技術における不足を克服するものであり、既存のドラムシステムを変更して、より大きな振幅のより低い周波数を生成するよう、方法や部材の非自明かつ固有の組み合わせ及び構造を提示することによってなされる。
【課題を解決するための手段】
【０００５】
開示された実施態様は、既存のバスドラム内にモジュール式又は一体化されたその他のシステムである手段及び方法を備え、音質の拡張、音の属性の調整、録音や増幅の補助、及びその他の特徴をもたらすためのものである。開示された変調合成共鳴駆動装置（「ＭＣＤＲ」）又は合成共鳴駆動装置（「ＣＲＤ」）は様々な部材で構成され、打面側ドラムヘッド及び／又は共鳴側ドラムヘッドに取り付け可能である。様々な取り付け手段が開示され、開示された実施態様によって既存のドラムシステムとの継ぎ目のない一体化が可能である。
【０００６】
その他の開示された実施態様は、その応用、即ちＣＲＤを音響スピーカのウーファー、ギター、その他の楽器のへの取り付けを含む。
【０００７】
開示された実施態様は、様々なＣＲＤのダイアフラム形状、様々なばね又は分離要素を備える、又は備えない、及び一以上のダイアフラムを備える様々なＣＲＤの構造を含む。開示された変位拡張装置及びクイックスティックライザは、様々な音質を達成する際に役立つ。クイックコネクトアタッチメントリング、ディスク及び方法は、既存のバスドラムシステムへの後付けの際に役立つ。
【０００８】
様々なストライクアタッチメントが更に、様々な音の改善を達成する際に役立つ。音波放射皿状部材をドラムヘッド、変位拡張装置又はその他の部材に直接搭載してもよく、更に音の出力が調整される。様々な多用途のマルチディスクとして、錘リング、ゴム製リード、空気穴及びその他の特徴が備わっており、音の出力が更に増加する。音響アイリスマルチディスクアタッチメントによって更に音の出力が増加する。
【０００９】
更に、開示されたＣＲＤは、一以上の調律された共鳴室を完全な又は部分的な駆動装置として使用してもよい。ＣＲＤは、追加又は置き換えとして打面側ヘッド及び／又は共鳴側ヘッドに作用してもよい。ＣＲＤによって空気の流れが増加し、振幅が調整される。
【００１０】
開示された変位拡張装置は、ＣＲＤ及びその他の部材を支持し受け入れる多用途の懸架装置として作用する。
【００１１】
磁気システムは、ヒンジシステムを有する新しい連結式の内側リングマウントを備え、ドラムの内部空隙への挿入が容易となる。好ましい実施態様において、ヒンジはドラムの中心点に合致する。
【００１２】
開示された実施態様では、ドラムの音調品質を調整するのに使用する可動式の錘を巧みに使用する。この可動式の錘は、振り子、ワイヤ、弦、ばね、又は構造と共に取り付け可能である。星形形状の弾性支持システムを使用してもよく、ドラム又はその他の楽器の音色の変更が更に拡張される。
【００１３】
ＣＲＤは、一種の響板（ｓｏｕｎｄ  ｂｏａｒｄ）として機能しうる。ＣＲＤによって、変調された共鳴、周波数変調された共鳴又は音色が作成される。
【００１４】
ＣＲＤによって、ミレンダー共鳴として知られる原理を実現可能である。ミレンダー共鳴とは、（Ａ）膜又は復元性のある部材であって音高がその張力の積であり、共鳴、共振、又は振動する質量を（Ａ）に添加することで張力がシフトし、故に（Ａ）の音高は、（Ｂ）振動速度（ｖｉｂｒａｔｏｒｙ  ｒａｔｅ）とある程度直接的及び間接的な関係にあるような条件である。このようにして、（Ｃ）、ＣＲＤが生成可能となる。（Ｃ）は、（Ｂ）の関数であり、（Ａ）に適用されて、［（Ｃ）二乗］が生成される。［（Ｃ）二乗］は、ドラムヘッドにＣ．Ｒ．Ｄ．を追加することと等価である。同様に、Ｃ．Ｒ．Ｄ．をドラムヘッドに追加することにより、Ｃ．Ｒ．Ｄ．を生成可能である。ＣＲＤは更に、システムからエネルギー又は慣性を受けとり、このシステムにエネルギー又は慣性を戻すシステムであり、ループが形成される。
【００１５】
上述の及びその他の目的及び効果は、以下に示す詳細な説明と図面を併せて参照することによって明らかになるであろう。
【図面の簡単な説明】
【００１６】
【図１】バスドラムの打面側及び共鳴側ヘッド上に搭載されたＭＣＲＤ又はＣＲＤを示す図
【図２】調整可能な特徴を備えた変調合成共鳴駆動装置又はＣＲＤを示す図。
【図３】調整可能な特徴を備えた変更された変調合成共鳴駆動装置を示す図。
【図４Ａ】様々なＭＣＲＤ又はＣＲＤの構造を示す図。
【図４Ｂ】様々なＭＣＲＤ又はＣＲＤの構造を示す図。
【図４Ｃ】様々なＭＣＲＤ又はＣＲＤの構造を示す図。
【図５Ａ】様々なＭＣＲＤ又はＣＲＤの構造を示す図。
【図５Ｂ】様々なＭＣＲＤ又はＣＲＤの構造を示す図。
【図５Ｃ】様々なＭＣＲＤ又はＣＲＤの構造を示す図。
【図６】調整可能な特徴を備えた合成共鳴駆動装置を示す図。
【図７Ａ】変位拡張装置及び関連部材を示す図。
【図７Ｂ】変位拡張装置及び関連部材を示す図。
【図７Ｃ】変位拡張装置及び関連部材を示す図。
【図７Ｄ】変位拡張装置及び関連部材を示す図。
【図８Ａ】外科用ゴム製アタッチメントホルダを備えた変位拡張装置を示す図。
【図８Ｂ】外科用ゴム製アタッチメントホルダを備えた変位拡張装置を示す図。
【図９Ａ】クイックコネクトアタッチメントリング及び様々な関連部材を示す図。
【図９Ｂ】クイックコネクトアタッチメントリング及び様々な関連部材を示す図。
【図９Ｃ】クイックコネクトアタッチメントリング及び様々な関連部材を示す図。
【図１０】スピーカーキャビネットのポート上に搭載されたＭＣＲＤ又はＣＲＤを示す図。
【図１１】スピーカーキャビネットのウーファー部上に取り付けられたＭＣＲＤ又はＣＲＤ及び関連部材を示す図。
【図１２Ａ】ストライクアタッチメント及び様々な部材を示す図。
【図１２Ｂ】ストライクアタッチメント及び様々な部材を示す図。
【図１２Ｃ】ストライクアタッチメント及び様々な部材を示す図。
【図１３Ａ】音波放射皿状部材及び様々な関連する特徴を示す図。
【図１３Ｂ】音波放射皿状部材及び様々な関連する特徴を示す図。
【図１３Ｃ】音波放射皿状部材及び様々な関連する特徴を示す図。
【図１４】マルチディスクアタッチメント及び関連する実施態様を示す図。
【図１５】音響アイリス及び様々な部材を示す図。
【図１６】音響可変弁マルチディスクアタッチメントを示す図。
【図１７Ａ】ブームＣＲＤの断面図。
【図１７Ｂ】ＣＲＤの斜視図。
【図１８】ギターに取り付けられた開示された実施態様を示す図。
【図１９】ＣＲＤの斜視図。
【図２０】磁気結合実施態様の断面図。
【図２１Ａ】ドラムヘッドの平面図。
【図２１Ｂ】ドラム内に配置されたフレックスリングの側面図。
【図２２】可動錘の実施態様の平面図。
【図２３】可動錘の実施態様の斜視図。
【図２４】可動錘の実施態様の断面図。
【図２５】可動錘の実施態様の断面図。
【図２６】可動錘の実施態様の断面図。
【図２７】可動錘の実施態様の断面図。
【図２８】ドラム内に配置されたフレックスリングの平面図。
【図２９】中央マウント及びリングマウントの実施態様を示す図。
【図３０】リングマウントの実施態様の断面図。
【図３１】中央錘懸架システムの平面図。
【発明を実施するための形態】
【００１７】
本発明のある特定の実施態様に関する詳細な説明を以下に示す。但し、本発明は、請求項並びにその均等物によって規定され及びその範囲内となるような多くの異なる方法での具現化が可能である。以下の記述において参照される図面において、同類の部材には同様の番号が付されている。
【００１８】
本明細書又は請求項において特に記載がない限り、明細書及び請求項で用いる用語はすべて、当業者が通常これらの用語に与える意味を持つものとする。
【００１９】
文脈によって明らかに別の解釈が必要な場合を除いて、記載及び請求項において、「備える」、「備えている」のような表現は、限定的（ｅｘｃｌｕｓｉｖｅ）即ちすべてのものが記載されているという意味ではなく、他を包含し得る（ｉｎｃｌｕｓｉｖｅ）という意味に解釈すべきであり、即ち、「記載したものに限定されずに、含む」という意味である。単数又は複数を使用した表現についても、それぞれ複数又は単数を含む。更に、「ここで」、「上述の」、「下述の」という表現及び類似の意味の表現が、本出願において使用されている場合、本出願全体を指すのであって、本出願の任意の特定の箇所を指すのではない。
【００２０】
本発明の実施態様に関する上述の詳細な記述は、この記述に記載したものがすべてという意図でも、上述の開示した正確な形に本発明を限定する意図でもない。本発明の具体的な実施態様及びその実施例は例示的な意図で記載されたものであり、当業者であればわかるように、本発明の範囲内での様々な等価的な変更が可能である。例えば、ある順番で工程が示されていても、他の実施態様では別の順番での工程を有するルーチンを行う場合もある。ここで提示した本発明の教示は、ここに記載のシステムだけでなく、その他のシステムに適用可能である。ここに記載の様々な実施態様を組みあわせて、更なる実施態様を提示することが可能である。詳細な説明に鑑みて、本発明に対するこのような及びその他の変更が可能である。
【００２１】
上述の参考文献及び米国特許及び出願のうち任意のもの及びその全てを参照によりここに引用する。必要があれば、上述の様々な特許及び出願のシステム、機能及び概念を採用して本発明の態様を修正して、本発明の更なる実施態様を提供可能である。
【００２２】
上述の詳細な記載に鑑みて、このような及びその他の変更が本発明に対して可能である。一般に、上述の詳細な記載が明示的に規定していなければ、以下の請求項で使用する用語は、明細書で開示した特定の実施態様に本発明を限定するものと解釈すべきではない。
【００２３】
図１に、打面側ドラムヘッドと共鳴側ドラムヘッドとの双方に装着される、ＣＲＤ又はＭＣＲＤの実施態様を示す。これらの実施態様は、開口部００を有する打面側ドラムヘッド１０２及び／又は開口部００を規定する共鳴側ドラムヘッド１０３を含む。ＣＲＤ即ち合成共鳴駆動装置（Ｃｏｍｐｏｕｎｄ−Ｒｅｓｏｎａｎｃｅ  Ｄｒｉｖｅｒ）は、テンプレートリング１０６と、接着部１６０と、支持フレーム５１０と、外側ダイアフラム壁５１３と、内側ダイアフラム壁と、ばね状懸架発泡体５２０と、外側ダイアフラムネジフランジ型調整具５８０と、内側ダイアフラム固定フランジ部５９０と、ビータープラグ７０１とを備える。
【００２４】
図２に、開示されたＣＲＤであって、ビータープラグ７０１と、内側ダイアフラム壁５１５と、クイックスティックライザ本体部２４０と、クイックスティックライザ本体部２４０と、外側調整可能ダイアフラム壁５３１−Ｂと、ばね状懸架発泡体５２０と、外側ダイアフラムネジフランジ型調整具５８０と、内側ダイアフラム固定フランジ部５９０とを備えるＣＲＤを示す。
【００２５】
図３は、内側ダイアフラム壁を除く、図２のＣＲＤを示す図である。
【００２６】
図４Ａ、４Ｂ、及び４Ｃは、三つのＣＲＤの構造を示す図であり、平坦ダイアフラム、凹形ダイアフラム、及び凸形ダイアフラムをそれぞれ含む。このような構造は、打面側ドラムヘッド１０２又は共鳴側ドラムヘッド１０３のいずれかによって規定される空隙である、ドラムヘッド空隙００を覆うか又はその内部に配置される。ＣＲＤは、テンプレートリング１０６と、外側調整可能ダイアフラム壁５１３と、内側ダイアフラム壁５１５と、ばね状懸架発泡体５２０と、参照番号を付したその他の構成部材とを備える。
【００２７】
図５Ａから図５Ｃは、三つの更なるＭＣＲＤの構造を示す図であり、様々なばね又は分離要素を備えている、または備えていない、及び一以上のダイアフラムを備える構成である。このような構造は、テンプレートリング１０６と、接着部１６０と、支持フレーム５１０と、長穴付きの端部を有するディスク挿入具を備えた支持フレーム５１０Ｄと、外側調整可能壁５１３と、内側ダイアフラム壁５１５と、中央ダイアフラムＡ  ５１７Ａと、中央ダイアフラムＢ  ５１７Ｂと、分離懸架部５２２と、空気通過懸架部５２４と、図示した及び／又は参照番号を付したその他の構成部材とを備える。
【００２８】
図６は、内側ダイアフラム壁と、外側調整可能ダイアフラム壁クイックスティックライザ本体部２４０と、図示したその他の特徴を備えた、変調及び調整可能なＣＲＤを示す図である。
【００２９】
図７Ａから７Ｃは、変位拡張装置とクイックスティックライザとの特徴及び属性を示す図である。これらの特徴は、外側リング１１０と、ネオプレン１２０等の柔軟性を有する材料である１２０と、内側支持リング又はディスク１３０と、接着部１６０とを備える。クイックスティックライザ２００−Ａは、マイク接続部２４８と、ライザリング本体部２４０と、接着部２６０と、マイクケーブル用の穴２４７とを備える。
【００３０】
図８Ａ及び８Ｂは、外科用ゴム製アタッチメントホルダを備えた変位拡張装置の様々な特徴を示す図である。このような部材は、外側リング１１０と、空隙または開口部００と、ネオプレン１２０と、内側支持リング又はディスク１３０と、ゴム製アタッチメントホルダ１４０と、多用途マルチディスクアタッチメント１５０Ｃと、接着部１６０とを備える。
【００３１】
図９Ａから９Ｃは、ドラムヘッド上のテンプレートリングに追加して又はそれに代わって使用可能なクイックコネクトシステムの部材を示す図である。リングＡは、ベースリングとして作用する。リングＡは、ドラムヘッドの上に置いておく。リングＢは、任意及びすべてのアタッチメント用のクイックコネクトマウントとして機能する。リングＢは、様々なアタッチメントを考慮したものであり、各アタッチメントは、独自のクイックコネクトリング上に搭載して、ベースリング上へと素早く交換される。リングシステムは、リングＡ又はリングＢと、クイックコネクトディスク３３０と、ゴム製オーバーラップ３４０と、接着部３６０と、ゴムとディスクとの間の結合箇所３７０とを備える。
【００３２】
図１０は、ＣＲＤとスピーカポートとの考えられる一体化を示す図である。ＣＲＤは、スピーカ８００、特にツィーター８２０又はウーファー８３０又はポート８４０上に嵌め合わせる。
【００３３】
図１１は、ＣＲＤとスピーカのウーファー８３０との考えられる一体化を示す図である。
【００３４】
図１２Ａから１２Ｃは、様々なストライクアタッチメント及び関連部材を示す図である。このような部材は、膜７２０と、支持フレーム７１０と、ラグ７２５と、膜固定器具７３０と、ビーターディスク７０２と、ビータープラグ７０１とを備える。
【００３５】
図１３Ａから１３Ｃは、音波放射皿状部材及び関連部材を示す図である。このような部材は、クイックスティックライザと、皿状部材４２０と、中央空隙００と、分離懸架発泡体５２２と、その他の特徴とを備える。音波放射皿状部材は、ドラムヘッド又は変位拡張装置に直接搭載してもよい。
【００３６】
図１４は、様々な多用途マルチディスク及び様々な錘リングと、ゴム製リードと、ゴム製ダムと、その他の部材とを示す図である。このような部材は、錘リング１５０Ｇ−１と、錘ディスク１５０Ｈ−１と、中空ではない（ｓｏｌｉｄ）マルチディスクアタッチメント１５０Ａ−１と、ツインインチの穴又は空隙を有するディスクアタッチメント１５０Ｂ−１と、４インチモデル１５０Ｃ−１と、ＥＱマルチディスクアタッチメント１５０Ｄ−１と、ゴム製リード１５０Ｅ−２とゴム製ダムモデル１５０Ｆ−１とを備えるゴム製リードモデル１５０Ｅ−１と、を備える。開示された錘リング及びディスクは、金属、又は、接着、磁気、又は、その他の種類の取り付けに適したその他の種類の材料にて製造されてもよい。開示されたリングは、ＣＲＤ又はその他の部材の質量を最適化する様々な重量を有するものであってよい。
【００３７】
図１５は、音響アイリス６００マルチディスクアタッチメント及び様々な関連部材を示す図である。音響アイリスは、開示されたその他のマルチディスクアタッチメントのように使用可能であり、ストレッチ材料と、外側リング／ディスクと、内側調整リング／ディスクとを備える。音響アイリスは、外側リング６１０と、外科用ゴム、ネオプレン、又は類似の材料製のアイリスフィルム６２０と、内側調整リング６３０と、調整リングガイドスパー６３５Ａと、調整リングスパー６３５Ｂと、番号を付したスパーロックとを備える。
【００３８】
図１６は、音響可変弁マルチディスクアタッチメント９００と様々な関連部材を示す図である。これらの部材は、弁位置参照マーク９１０と、回転弁ディスク９００Ｂと、軸上のピボット点ネジ９０１と、軸９２０と、開マーク９１１と、閉マーク９１２と、メインディスク９００Ａと、対応する空気弁９１５とを備える。
【００３９】
図１７Ａは、ブームＣＲＤの断面図であり、図１７Ｂは、ブームＣＲＤの斜視図である。
【００４０】
図１８は、ギター１１００内に配置されたブームＣＲＤを示す図である。
【００４１】
図１９は、ブームＣＲＤの斜視図である。
【００４２】
図２０は、外側マグナリングマウント１２２０の膜１２２５に取り付けられた上部マグナリングマウント１２１０を備えた磁気結合システムを有する、ＣＲＤシステムを示す図である。外側マグナリングマウント１２２０は、内側マグナリングマウント１２３０に磁気により取り付け可能である。内側マグナリングマウント１２３０は、相補形のＮＳ極方向性を有する磁石１２３２を有し、外側マグナリングマウント１２２０の磁石１２２２に取り付けられる。上部マグナリングマウントの磁石１２１２は、外側マグナリングマウント１２２０の磁石１２２２に反発するような位置に配置される。磁石を反発する位置にすることによって、所望の音響品質を得るのに役立つ。例えば、上部及び外側リング磁石の磁気方位により、膜１２２５を通して振動が伝えられると共に、中央リングの所望の振動が外部リングへと伝えられる。
【００４３】
図２１Ａは、マグナフレックスリング１３００のヒンジ１３０５の必要な配置を示す図である。
【００４４】
図２１Ｂは、マグナフレックスリングシステムの部材を示す図である。
【００４５】
図２２は、可動錘システムの部材を示す図である。
【００４６】
図２３は、可動錘システムの斜視図である。
【００４７】
図２４から２７は、開示された可動錘システムを示す図である。
【００４８】
図２８は、ブームＣＲＤ１４３０と共に使用するヒンジシステムを示す図である。
【００４９】
図２９は、中央及びリングマウント音響ばねシステムを示す図である。
【００５０】
図３０は、周縁マウント音響ばねシステムを示す図である。
【００５１】
図３１は、中央錘の支持システムを示す図である。
【００５２】
開示された実施態様は以下の項目を備え得る。
１．  ドラム又はその他の膜の音調品質を向上させるための合成共鳴駆動装置（ＣＲＤ）であって、
ａ）二つのヒンジと複数の磁石とを備える円形部材を備える内側マグナフレックスリングと、
ｂ）前記マグナフレックスリングの磁石と相補的な又は引き寄せあう方向に配置された複数の磁石を備える固定円形部材を備えるブームＣＲＤと、を備え、
ｃ）前記固定円形部材は、接着性リング１００６と、外側リング１００５と、発泡性リング１００４と、中央リングとに取り付けられる第一の側面を有し、
ｄ）前記固定円形部材は、磁石を収容し、ネオプレンガスケットに取り付けられたマグナリングに取り付けられる中央リング１００８と外側リング１００１とに取り付けられる第二の側面を有する。
【００５３】
２．１のＣＲＤは更に、前記固定フレックスリングの膜１１２５に取り付けられる上部マグナリングマウント１２１０を備える。
【００５４】
３．２のＣＲＤは更に、前記上部マグナリングマウント内に配置され、前記固定リングの磁石と反対の極性を有するよう配置される磁石１２１２を備える。
【００５５】
４．３のＣＲＤであって、前記マグナフレックスリングのヒンジは、ドラムの膜の中心点を横切る軸線と合致する。
【００５６】
５．４のＣＲＤであって、前記内部マグナフレックスリングと前記固定円形部材とが、ドラムの膜によって規定される円形の空隙を覆う。
【００５７】
「マグナ」という用語は磁気性を意味する。開示されたような部材の組み合わせによって、音響共鳴における所望の結果が得られる。
【符号の説明】
【００５８】
００  打面側ドラムヘッド又は共鳴側ドラムヘッド内部の開口又は空隙
１００−Ａ  変位拡張装置−斜視図
１００−Ｂ  変位拡張装置−断面図
１００−Ｃ  外科用ゴム製アタッチメントホルダを備えた変位拡張装置
１１０  外側リング
１２０  ネオプレン
１３０  内側支持リング／ディスク
１４０  ゴム製アタッチメントホルダ
１５０−Ｃ  多用途マルチディスクアタッチメント
１０２  打面側ドラムヘッド
１０３  共鳴側ドラムヘッド
１０６  テンプレートリング
１１０  外側リング
１２０  ネオプレン
１３０  内側支持リング又はディスク
１４０  ゴム製アタッチメントホルダ
１５０−Ａ−１  中空ではない（ｓｏｌｉｄ）マルチディスクアタッチメント
１５０−Ｂ−００  ディスク内の空隙
１５０−Ｂ−１  ２インチ空隙マルチディスクアタッチメント
１５０−Ｃ  多用途マルチディスクアタッチメント
１５０−Ｃ−１  開口１５０−Ｃ−００を備える、４インチ空隙マルチディスクアタッチメント
１５０−Ｄ−１  ＥＱマルチディスクアタッチメント
１５０−Ｄ−２  空気空隙
１５０−Ｅ−１  ゴム製リードマルチディスクアタッチメント
１５０−Ｅ−２  ゴム製リード
１５０−Ｅ−００  ゴム製リード内部の空隙又は開口部
１５０−Ｆ−１  ゴム製ダムマルチディスクアタッチメント
１５０−Ｆ−２  ゴム製ダム
１５０−Ｆ−００  空隙又は穴
１５０−Ｇ−１  錘リング
１５０−Ｈ−１  錘ディスク
１６０  接着部
２００−Ａ  クイックスティックライザ
２００−Ｂ  クイックスティックライザの側面図
２４０  クイックスティックライザ本体部
２４７  マイクケーブル用の穴又は空隙
２４８  マイク接続部
２６０  クイックスティックライザに関連する接着部
３００  クイックコネクトシステム
３３０  クイックコネクトディスク
３４０  ゴム製オーバーラップ
３５０ベースリングディスク
３６０  ベースリングに関連する接着部
３７０  ゴムとディスクとの間の結合箇所
４００  音波放射皿状部材
４２０  皿状部材
５００  ＭＣＲＤ  −スピーカーキャビネット上のポート上に搭載し調節可能
５１０  支持フレーム
５１０−Ｄ  長穴付きの端部を有するディスク挿入具を備えた支持フレーム
５１３  外側ダイアフラム壁
５１３−Ｂ  外側調節可能ダイアフラム壁
５１５  内側ダイアフラム壁
５１７−Ａ  中央ダイアフラムＡ
５１７−Ｂ  中央ダイアフラムＢ
５１７−Ｃ  中央ダイアフラムＣ、より小さい穴又は空隙を備えたもの一つ
５１７−Ｄ  中央ダイアフラムＤ、中空なし、空気は端部懸架部を通過
５２０  ばね状懸架発泡体
５２２  分離発泡体
５２４  空気通過懸架部
５８０  外側ダイアフラムネジフランジ型調整具
５８０−Ｂ  固定フランジ
５９０  内側ダイアフラム固定フランジ部
６００  音響アイリス
６１０  外側リング
６２０  アイリス膜、時に外科用ゴム、ネオプレン、同様の弾性特性を有するその他の材料からなる
６３０  内側調整リング
６３５−Ａ  調整リングガイドスパー
６３５−Ｂ  調整リングスパー
６３７  番号付きのスパーロック
７０１  ビータープラグ
７１０  支持フレーム
７２０  膜
７２５  ラグ
７３０  膜固定器具
８００  一般的なスピーカ
８１０  スピーカーキャビネット
８２０  ツィーター
８３０  ウーファー
８４０  ポート
９００  音響可変弁マルチディスクアタッチメント
９００−Ａ  メインディスク
９００−Ｂ  回転弁
９０１  軸上のピボット点ネジ
９１１  １００％開マーク
９１２  １００％閉マーク
９１５  対応する空気弁
９２０  軸
１００１  外側リング
１００２  膜
１００３  外側リングＢ
１００４  ＥＶＡ発泡性リング
１００５  外側リング
１００６  接着性リング
１００７Ａ  ネオプレンガスケット
１００７Ｂ  マグナリング
１００８  中央リングＢ
１００９  中央リングＣ
１０１０  ネオジム磁石
１１００  ギター
１００５  ギターのデッキ又は本体部
１１１０  ギターのブリッジ
１１１５  ギターの弦
１１２０  ギター態様の磁石
１１２５  ギター態様の膜
１１３０  ギター態様の中央リング
１１３５  ギター態様の外側リング
１２００  磁気結合実施態様
１２１０  上部マグナリングマウント
１２１２  上部マグナリングマウント１２１０内に配置される磁石
１２２０  外側マグナリングマウント
１２２２  外側マグナリングマウント１２２０内部に配置される磁石
１２２５  外側マグナリングマウント１２２０の膜
１２３０  内側マグナリングマウント
１２３２  内側マグナリングマウント１２３０内部に配置される磁石
１２５０  ドラムヘッド
１２５１  ドラムヘッドの中心点
１２６０  ドラムシェル
１２７０  ドラムのフープ
１３００  マグナフレックスリング
１３０２  マグナフレックスリング１３００内に配置される磁石
１３０５  マグナフレックスリングのヒンジ
１３０７  ヒンジ及びドラムヘッドの中心点１２５１に合致するヒンジの軸
１４００  可動錘の実施態様
１４０２  ばね１４１５又はその他の部材に取り付けられた磁石
１４０５  可動錘
１４０６  静止錘
１４０７  接着部
１４０８  ばねとマグナポスト１４０９との間のピボット部材
１４０９  磁気ポスト
１４１０  振り子
１４１５  ばね又はその他の弾性部材
１４１７  締めネジ
１４１８  締めナット
１４２０  錘フレーム
１４２３  錘フレーム１４２０の水平足
１４２５  錘フレーム１４２０の垂直足
１４３０  合成共鳴駆動装置即ちＣＲＤの本体部
１４３５  ばね又は弦の結合部１４３０
１５００  中央錘フレームを固定するのに使用するゴム製、弾性、ばね状その他の復元性部材
１５０５  中央錘フレーム
１５０７  フレーム
【図１】
0006510512.tif 000002
【図２】
0006510512.tif 000003
【図３】
0006510512.tif 000004
【図４Ａ】
0006510512.tif 000005
【図４Ｂ】
0006510512.tif 000006
【図４Ｃ】
0006510512.tif 000007
【図５Ａ】
0006510512.tif 000008
【図５Ｂ】
0006510512.tif 000009
【図５Ｃ】
0006510512.tif 000010
【図６】
0006510512.tif 000011
【図７Ａ】
0006510512.tif 000012
【図７Ｂ】
0006510512.tif 000013
【図７Ｃ】
0006510512.tif 000014
【図７Ｄ】
0006510512.tif 000015
【図８Ａ】
0006510512.tif 000016
【図８Ｂ】
0006510512.tif 000017
【図９Ａ】
0006510512.tif 000018
【図９Ｂ】
0006510512.tif 000019
【図９Ｃ】
0006510512.tif 000020
【図１０】
0006510512.tif 000021
【図１１】
0006510512.tif 000022
【図１２Ａ】
0006510512.tif 000023
【図１２Ｂ】
0006510512.tif 000024
【図１２Ｃ】
0006510512.tif 000025
【図１３Ａ】
0006510512.tif 000026
【図１３Ｂ】
0006510512.tif 000027
【図１３Ｃ】
0006510512.tif 000028
【図１４】
0006510512.tif 000029
【図１５】
0006510512.tif 000030
【図１６】
0006510512.tif 000031
【図１７Ａ】
0006510512.tif 000032
【図１７Ｂ】
0006510512.tif 000033
【図１８】
0006510512.tif 000034
【図１９】
0006510512.tif 000035
【図２０】
0006510512.tif 000036
【図２１Ａ】
0006510512.tif 000037
【図２１Ｂ】
0006510512.tif 000038
【図２２】
0006510512.tif 000039
【図２３】
0006510512.tif 000040
【図２４】
0006510512.tif 000041
【図２５】
0006510512.tif 000042
【図２６】
0006510512.tif 000043
【図２７】
0006510512.tif 000044
【図２８】
0006510512.tif 000045
【図２９】
0006510512.tif 000046
【図３０】
0006510512.tif 000047
【図３１】
0006510512.tif 000048